(57)【要約】【課題】取付板への筐体の取り付けが容易な照明装置を提供する。【解決手段】照明装置１０は、第一係合部２２を有し、構造物に固定される取付板２０と、側壁部３１、及び、側壁部３１に設けられた第二係合部３３を有し、第一係合部２２及び第二係合部３３が係合することにより取付板２０に取り付けられる筐体３０と、筐体３０に収容され、筐体３０の取付板２０と反対側に光を発する光源４０とを備える。【選択図】図２
2019091537.tif 000002
【特許請求の範囲】
【請求項１】
第一係合部を有し、構造物に固定される取付板と、
側壁部、及び、前記側壁部に設けられた第二係合部を有し、前記第一係合部及び前記第二係合部が係合することにより前記取付板に取り付けられる筐体と、
前記筐体に収容され、前記筐体の前記取付板と反対側に光を発する光源とを備える
照明装置。
【請求項２】
前記第一係合部は、凸部を有する弾性部材であり、
前記第二係合部は、前記凸部が入り込む、前記側壁部に設けられた凹部である
請求項１に記載の照明装置。
【請求項３】
前記凹部は、前記側壁部の外周面に設けられる
請求項２に記載の照明装置。
【請求項４】
さらに、前記側壁部の外周面を覆うカバーを備える
請求項３に記載の照明装置。
【請求項５】
前記カバーは、前記側壁部の外周面を覆うサイドカバー部と、前記筐体の前記取付板と反対側に位置するフロントカバー部とを含み、
前記フロントカバー部の径方向における長さは、前記サイドカバー部の前記取付板の主面と垂直な方向における長さよりも短い
請求項４に記載の照明装置。
【請求項６】
前記側壁部の外周面には、前記取付板の主面に垂直な方向に延びる溝が設けられ、
前記第一係合部の少なくとも一部は、前記溝内に位置し、
前記凹部は、前記溝の端部に位置する
請求項３〜５のいずれか１項に記載の照明装置。
【請求項７】
前記溝の底面は、前記溝の深さが前記取付板に近づくほど深くなるように傾斜している
請求項６に記載の照明装置。
【請求項８】
前記側壁部の外周面には、前記取付板の主面に平行な方向に延びる溝が設けられ、
前記凹部は、前記溝の途中に位置する
請求項３〜５のいずれか１項に記載の照明装置。
【請求項９】
前記凹部は、前記側壁部の内周面に設けられる
請求項２に記載の照明装置。
【請求項１０】
前記第一係合部は、凸部を有する弾性部材であり、
前記第二係合部は、前記側壁部に設けられた開口であり、
前記第一係合部及び前記第二係合部は、前記凸部が前記開口内に位置することにより係合する
請求項１に記載の照明装置。
【請求項１１】
前記第一係合部は、板ばねであり、
前記凸部は、曲げ加工により形成された前記板ばねの一部である
請求項２〜１０のいずれか１項に記載の照明装置。
【請求項１２】
さらに、前記筐体の前記取付板と反対側を覆う透光カバーを備え、
前記取付板の主面に垂直な方向から見た場合に、前記第一係合部は、前記透光カバーの端よりも内側に位置する
請求項１〜１１のいずれか１項に記載の照明装置。
【発明の詳細な説明】
【技術分野】
【０００１】
本発明は、天井などの構造物に取り付けられる照明装置に関する。
【背景技術】
【０００２】
近年、天井に取り付けられるＬＥＤ照明装置が普及しつつある。例えば、特許文献１には、天井に取り付けられるＬＥＤ照明装置が開示されている。
【先行技術文献】
【特許文献】
【０００３】
【特許文献１】特開２０１４−１３５２９８号公報
【発明の概要】
【発明が解決しようとする課題】
【０００４】
天井などの構造物に取り付けられる照明装置においては、照明装置の取付方法に検討の余地がある。例えば、天井に固定された取付板に照明装置の本体を取り付ける方法として、ねじ止めが考えられる。しかしながら、このような方法では、ねじ止めの位置によっては天井が邪魔になるなどしてドライバが回しづらくなり、照明装置本体の取り付けに手間がかかる場合がある。
【０００５】
本発明は、取付板への筐体の取り付けが容易な照明装置を提供する。
【課題を解決するための手段】
【０００６】
本発明の一態様に係る照明装置は、第一係合部を有し、構造物に固定される取付板と、側壁部、及び、前記側壁部に設けられた第二係合部を有し、前記第一係合部及び前記第二係合部が係合することにより前記取付板に取り付けられる筐体と、前記筐体に収容され、前記筐体の前記取付板と反対側に光を発する光源とを備える。
【発明の効果】
【０００７】
本発明によれば、取付板への筐体の取り付けが容易な照明装置が実現される。
【図面の簡単な説明】
【０００８】
【図１】図１は、実施の形態１に係る照明装置の下方から見た外観斜視図である。
【図２】図２は、実施の形態１に係る照明装置の下方から見た分解斜視図である。
【図３】図３は、実施の形態１に係る照明装置の上方から見た分解斜視図である。
【図４】図４は、実施の形態１に係る照明装置の模式断面図である。
【図５】図５は、実施の形態２に係る照明装置の模式断面図である。
【図６】図６は、実施の形態３に係る照明装置の模式断面図である。
【図７】図７は、実施の形態４に係る照明装置の外観斜視図である。
【図８】図８は、実施の形態４に係る照明装置における、第二係合部及び横溝の具体的構成を示す図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略または簡略化される場合がある。
【００１１】
以下の実施の形態の図面においては、Ｚ軸方向は、例えば上下方向（鉛直方向）であり、Ｚ軸＋側は、上側または天井側と記載される場合がある。また、Ｚ軸−側は、下側または光出射側と記載される場合がある。また、Ｘ軸方向及びＹ軸方向は、Ｚ軸に垂直な平面（水平面）上において、互いに直交する方向である。また、以下の実施の形態において、平面視とは、Ｚ軸方向から見ることを意味する。つまり、平面視とは、取付板の主面に垂直な方向から見ることを意味する。
【００１２】
また、図面においては、ねじ穴など、同一の機能を有し複数設けられる構造または部材については、１つの構造または部材にのみ符号が付されている場合がある。
【００１３】
（実施の形態１）
まず、実施の形態１に係る照明装置の構成について詳細に説明する。図１は、実施の形態１に係る照明装置の下方から見た外観斜視図である。図２は、実施の形態１に係る照明装置の、下方から見た分解斜視図である。図３は、実施の形態１に係る照明装置の、上方から見た分解斜視図である。図４は、実施の形態１に係る照明装置の模式断面図である。
【００１４】
図１〜図４に示されるように、実施の形態１に係る照明装置１０は、主として、取付板２０と、筐体３０と、光源４０と、カバー５０と、透光カバー６０と、端子台７０と、電源回路ユニット８０とを備える。
【００１５】
照明装置１０は、天井に直接取り付けられ、主に下方を照らすシーリングライトである。照明装置１０は、具体的には、取付板２０が木ねじ９０によって天井に固定された後、光源４０、端子台７０、及び、電源回路ユニット８０を収容し、かつ、透光カバー６０が固定された状態の筐体３０が取付板２０に取り付けられる。その後、カバー５０が筐体３０に装着される。照明装置１０の平面視形状は、円形である。以下、照明装置１０が備える各構成要素について説明する。
【００１６】
［取付板］
取付板２０は、照明装置１０を天井または壁などの構造物に取り付けるために、最初に構造物に固定される部材である。取付板２０は、具体的には、取付板本体２１と、２つの第一係合部２２とを有する。取付板２０は、例えば、鋼板である。つまり、取付板２０は、鉄などの金属材料によって形成されるが、その他の金属、または樹脂によって形成されてもよい。なお、以下の実施の形態では、取付板２０（照明装置１０）は、天井に取り付けられるものとして説明が行われる。
【００１７】
取付板本体２１は、平面視形状が略円形の板材である。取付板本体２１には、取付板２０を構造物に固定するために木ねじ９０が挿通されるねじ挿通孔、及び、電源ケーブルを挿通するためのケーブル挿通孔などが設けられている。
【００１８】
第一係合部２２は、取付板本体２１に固定された弾性部材である。第一係合部２２は、より具体的には、上下方向に長い短冊状の板ばねである。第一係合部２２の上側の端部は、取付板本体２１の周縁部に固定されている。第一係合部２２の下側の端部は、内側に折り曲げられている。第一係合部２２の折り曲げられた部分は、内側に突出する凸部２３である。つまり、凸部２３は、折り曲げ加工によって形成された第一係合部２２の一部である。なお、凸部２３が折り曲げによって形成されることは必須ではなく、その他の曲げ加工によって形成されてもよい。
【００１９】
第一係合部２２は、取付板本体２１とは別体であり、リベットまたはねじなどによって取付板本体２１に固定される。なお、第一係合部２２は、取付板本体２１と一体形成されてもよい。
【００２０】
［筐体］
筐体３０は、平たい略有底筒状の部材である。筐体３０は、光源４０、端子台７０、及び、電源回路ユニット８０を収容する。筐体３０は、側壁部３１と、底部３２と、第二係合部３３とを有する、筐体３０は、例えば、アルミニウムがダイカスト鋳造されることにより形成される。筐体３０は、その他の金属材料または樹脂材料によって形成されてもよい。
【００２１】
底部３２は、平たい略有底筒状の筐体３０の底に相当する円板状の部分である。底部３２の中央は、上方に向かって凹んでいる。底部３２の上面のうち、この凹んだ部分の周りの部分には、端子台７０及び電源回路ユニット８０が載置される。上記凹んだ部分の下面には、光源４０がねじ止めされる。
【００２２】
側壁部３１は、平たい略有底筒状の筐体３０の側壁に相当する、平たい略円筒状の部分である。側壁部３１には、第二係合部３３、縦溝３４、カバー用係止溝３５、及び、ねじ穴３６が設けられる。
【００２３】
第二係合部３３は、側壁部３１の外周面に設けられた凹部である。第二係合部３３には、第一係合部２２の凸部２３が入り込む。これにより、筐体３０及び取付板２０は係合する。つまり、筐体３０は、取付板２０に取り付けられる。
【００２４】
縦溝３４は、取付板２０の主面に垂直な方向に延びる溝である。第二係合部３３は、縦溝３４の下方の端部に位置し、縦溝３４は、筐体３０を取付板２０に取り付ける際に、凸部２３を第二係合部３３に導くガイドとして機能する。
【００２５】
照明装置１０を構造物に取り付ける施工者は、構造物に固定された取付板２０の第一係合部２２が縦溝３４に沿って動くように筐体３０を下方から押し上げる。そうすると、第一係合部２２は、凸部２３が縦溝３４の底面にあたることにより外側に押される。その後、凸部２３が縦溝３４の底面よりもさらに内側に凹んだ凹部（つまり、第二係合部３３）に到達すると、当該凸部２３は、第一係合部２２の弾性により内側に移動し凹部に入り込む。凸部２３が凹部に入り込んだ状態において、第一係合部２２の一部は、縦溝３４内に位置し、側壁部３１の外周面よりも外側に突出しない。
【００２６】
なお、第二係合部３３が縦溝３４の下方の端部に設けられることは必須ではなく、縦溝３４の途中に設けられてもよい。第二係合部３３が縦溝３４の下方の端部に設けられる場合、第一係合部２２の上下方向の長さを長くすることで、第一係合部２２の弾性を効果的に利用することができる。
【００２７】
また、図４に示されるように、縦溝３４の底面は、傾斜面である。縦溝３４の底面は、具体的には、縦溝３４の深さが取付板２０に近づくほど深くなるように傾斜している。これにより、第一係合部２２が筐体３０を保持する保持力を高めることができる。
【００２８】
カバー用係止溝３５は、カバー５０を筐体に装着するための溝である。カバー用係止溝３５は、取付板２０の主面に平行な方向に延びる溝であり、カバー５０が筐体３０に回し入れられると、サイドカバー部５１の内周面に設けられた突起５３がカバー用係止溝３５に入り込む。これにより、カバー５０は、筐体３０に係止する。なお、カバー用係止溝３５は、図に現れていないものを含めて３箇所に設けられている。
【００２９】
ねじ穴３６は、透光カバー６０をねじ止めするためのねじ穴である。ねじ穴には、透光カバー６０の固定部６１に外側から挿通されたねじ６２がねじ入れられる。なお、ねじ穴３６は、図に現れていないものを含めて２箇所に設けられている。
【００３０】
［光源］
光源４０は、筐体３０に収容される。光源４０は、底部３２の中央の上方に向かって凹ん凹んだ部分の下面にねじによって固定され、筐体３０の取付板２０と反対側に光を発する。光源４０は、具体的には、基板上に複数のＳＭＤ（Ｓｕｒｆａｃｅ  Ｍｏｕｎｔ  Ｄｅｖｉｃｅ）型のＬＥＤ素子が複数実装されたＳＭＤ型の発光モジュールであり、白色光を発する。光源４０は、基板上に直接実装されたＬＥＤチップが蛍光体を含有する透光性樹脂によって封止されたＣＯＢ（Ｃｈｉｐ  Ｏｎ  Ｂｏａｒｄ）型の発光モジュールであってもよい。
【００３１】
［カバー］
カバー５０は、筐体３０の外周面の凹凸構造を隠すために当該外周面を覆う。カバー５０によれば、照明装置１０の意匠性が高められる。また、カバー５０は、第二係合部３３に入り込んだ第一係合部２２を覆い、第一係合部２２の位置を規制する部材としても機能する。言い換えれば、カバー５０は、第二係合部３３に入り込んだ凸部２３の抜け止め構造としても機能する。
【００３２】
カバー５０は、例えば、アクリロニトリルスチレンアクリレート（ＡＳＡ：Ａｃｒｙｌｏｎｉｔｒｉｌｅ  Ｓｔｙｒｅｎｅ  Ａｃｒｙｌａｔｅ）樹脂によって形成される。カバー５０は、ポリブチレンテレフタレート（ＰＢＴ：Ｐｏｌｙｂｕｔｙｌｅｎｅ  Ｔｅｒｅｐｈｔｈａｌａｔｅ）等の他の樹脂材料によって形成されてもよい。また、カバー５０は、アルミニウムなどの金属材料によって形成されてもよい。
【００３３】
カバー５０は、具体的には、サイドカバー部５１と、フロントカバー部５２とを含む。サイドカバー部５１は、筐体３０の側壁部３１の外周面に沿う平たい略円筒状である。サイドカバー部５１は、側壁部３１の外周面を覆う。
【００３４】
フロントカバー部５２は、筐体３０の取付板２０と反対側に位置する、円環板状の部分である。平面視において、フロントカバー部５２は、透光カバー６０を囲む縁状である。
【００３５】
照明装置１０においては、フロントカバー部５２の狭縁化が図られている。具体的には、図４に示されるように、フロントカバー部５２の径方向の長さＬ１は、サイドカバー部５１の取付板２０の主面と垂直な方向の長さＬ２よりも短い。このようなフロントカバー部５２によれば、照明装置１０の意匠性が高められる。なお、カバー５０は、フロントカバー部５２を含まず、サイドカバー部５１のみから構成されてもよい。言い換えれば、フロントカバー部５２の径方向の長さＬ１は、０であってもよい。
【００３６】
サイドカバー部５１の内周面には、突起５３が設けられる。突起５３は、カバー５０を筐体３０に装着するために用いられる。カバー５０が筐体３０に回し入れられると、突起５３が筐体３０の側壁部３１の外周面に設けられたカバー用係止溝３５に入り込む。これにより、カバー５０は、筐体３０に係止する。なお、突起５３は、図に表れていないものを含めて３つ設けられている。
【００３７】
［透光カバー］
透光カバー６０は、下方に向かって突出した略円形ドーム状の光学部材（グローブ）であり、筐体３０の下方を覆う。つまり、透光カバー６０は、筐体３０の取付板２０と反対側を覆う。透光カバー６０は、光源４０と対向し、光源４０が発する光を透過する。透光カバー６０は、例えば、白色または乳白色である。
【００３８】
透光カバー６０は、例えば、ガラスによって形成されるが、シリコーン樹脂、アクリル樹脂、または、ポリカーボネート樹脂によって形成されてもよい。また、透光カバー６０は、表面にシルク印刷が行われることによって光拡散性を有してもよい。また、透光カバー６０は、シリカまたは炭酸カルシウムなどの光拡散材（微粒子）を含有することにより光拡散性を有してもよい。
【００３９】
透光カバー６０は、筐体３０にねじ止めされる。透光カバー６０は、固定部６１のねじ挿通孔に外側から挿通されたねじ６２が、筐体３０の側壁部３１の外周面に設けられたねじ穴にねじ止めされることにより、筐体３０に固定される。なお、透光カバー６０は、固定部６１を２つ有する。
【００４０】
なお、図４に示されるように、取付板２０の主面に垂直な方向から見た場合に、第一係合部２２の全体は、透光カバー６０の端よりも内側（言い換えれば、光源４０側）に位置する。つまり、天井に取り付けられた照明装置１０を真下から見た場合に、第一係合部２２は、透光カバー６０に隠れる。このように、照明装置１０では、平面視において透光カバー６０（つまり、発光領域）が可能な限り大きくされている。照明装置１０では、平面視における筐体３０と透光カバー６０との大きさの差を小さくすることにより、意匠性が高められている。
【００４１】
［端子台］
端子台７０は、照明装置１０が外部交流電源から電力の供給を受けるための電線が挿通される部材である。端子台７０の内部には、電源回路ユニット８０に含まれる電源回路に電気的に接続された端子が収容されている。端子台７０に、天井から引き出された電線の端部（つまり、電線の芯線）が差し込まれると、当該電線は上記端子に電気的に接続される。電線は、外部交流電源に電気的に接続されている。このため、電線の端部が端子台７０内の端子に電気的に接続されると、電線によって外部交流電源と電源回路ユニット８０に含まれる電源回路とが電気的に接続される。端子台７０は、筐体３０の底部３２の上面に載置され、底部３２にねじ止めされる。
【００４２】
［電源回路ユニット］
電源回路ユニット８０は、照明装置１０の外部から供給される交流電力を直流電力に変換して光源４０に供給する。交流電力は、具体的には、端子台７０に差し込まれた電線を介して外部交流電源から供給される。電源回路ユニット８０は、具体的には、基板に回路部品が実装されることにより形成された電源回路と、当該電源回路を覆うカバーとを有する。電源回路は、交流電力を直流電力に変換する回路であり、整流回路及びインバータ回路などを含む。電源回路ユニット８０は、筐体３０の底部３２の上面に載置され、底部３２にねじ止めされる。
【００４３】
［実施の形態１の効果等］
以上説明したように、照明装置１０は、第一係合部２２を有し、構造物に固定される取付板２０と、側壁部３１、及び、側壁部３１に設けられた第二係合部３３を有し、第一係合部２２及び第二係合部３３が係合することにより取付板２０に取り付けられる筐体３０と、筐体３０に収容され、筐体３０の取付板２０と反対側に光を発する光源４０とを備える。
【００４４】
このような照明装置１０を構造物に取り付ける施工者は、筐体３０をねじにより取付板２０に取り付ける照明装置よりも簡単に筐体３０を取付板２０に取り付けることができる。具体的には、施工者は、筐体３０の第二係合部３３を取付板２０の第一係合部２２に係合させることで容易に筐体３０を取付板２０に取り付けることができる。つまり、取付板２０への筐体３０の取り付けが容易な照明装置１０が実現される。
【００４５】
また、例えば、第一係合部２２は、凸部２３を有する弾性部材であり、第二係合部３３は、凸部２３が入り込む、側壁部３１に設けられた凹部である。
【００４６】
これにより、施工者は、第一係合部２２の弾性を利用して筐体３０を取付板２０に容易に取り付けることができる。
【００４７】
また、例えば、凹部（つまり、第二係合部３３）は、側壁部３１の外周面に設けられる。
【００４８】
これにより、施工者は、筐体３０の取付時に第一係合部２２及び第二係合部３３が外側から視認できるため、筐体３０を取付板２０に容易に取り付けることができる。
【００４９】
また、例えば、照明装置１０は、さらに、側壁部３１の外周面を覆うカバー５０を備える。
【００５０】
このようなカバー５０は、外周面に設けられた凹部等を隠して照明装置１０の意匠性を高めることができる。また、カバー５０は、第一係合部２２の位置を規制することにより、凹部（第二係合部３３）に入り込んだ凸部２３が外れてしまうことを抑制することができる。
【００５１】
また、例えば、カバー５０は、側壁部３１の外周面を覆うサイドカバー部５１と、筐体３０の取付板２０と反対側に位置するフロントカバー部５２とを含む。フロントカバー部５２の径方向における長さは、サイドカバー部５１の取付板２０の主面と垂直な方向における長さよりも短い。
【００５２】
このように、フロントカバー部５２が狭縁化されれば、照明装置１０の意匠性が高められる。
【００５３】
また、例えば、側壁部３１の外周面には、取付板２０の主面に垂直な方向に延びる縦溝３４が設けられ、第一係合部２２の少なくとも一部は、縦溝３４内に位置し、凹部は、縦溝３４の端部に位置する。
【００５４】
これにより、施工者は、第一係合部２２が縦溝３４に沿って動くように筐体３０を下方から押し上げることで、簡単に筐体３０を取付板２０に取り付けることができる。
【００５５】
また、例えば、縦溝３４の底面は、縦溝３４の深さが取付板２０に近づくほど深くなるように傾斜している。
【００５６】
これにより、第一係合部２２が筐体３０を保持する保持力を高めることができる。
【００５７】
また、例えば、第一係合部２２は、板ばねであり、凸部２３は、曲げ加工により形成された板ばねの一部である。
【００５８】
これにより、施工者は、板ばねの弾性を利用して筐体３０を取付板２０に容易に取り付けることができる。
【００５９】
また、例えば、照明装置１０は、さらに、筐体３０の取付板２０と反対側を覆う透光カバー６０を備える。取付板２０の主面に垂直な方向から見た場合に、第一係合部２２は、透光カバー６０の端よりも内側に位置する。
【００６０】
このように、平面視において透光カバー６０（つまり、発光領域）が可能な限り大きくされることで、照明装置１０の意匠性が高められる。
【００６１】
（実施の形態２）
上記実施の形態１では、第二係合部３３は、側壁部３１の外周面に設けられたが、側壁部３１の内周面に設けられてもよい。つまり、第一係合部２２の凸部２３は、内側から第二係合部３３に入り込んでもよい。図５は、このような実施の形態２に係る照明装置の模式断面図である。なお、以下の実施の形態２では、実施の形態１との相違点を中心に説明が行われ、既出事項についての説明は適宜省略される。
【００６２】
図５に示されるように、実施の形態２に係る照明装置１０ａは、主として、取付板２０ａと、筐体３０ａと、光源４０と、カバー５０と、透光カバー６０とを備える。
【００６３】
取付板２０ａは、具体的には、取付板本体２１と、２つの第一係合部２２ａとを有する。第一係合部２２ａは、取付板本体２１に固定された弾性部材である。第一係合部２２ａは、より具体的には、上下方向に長い短冊状の板ばねである。第一係合部２２ａの上側の端部は、取付板本体２１の周縁部に固定されている。第一係合部２２ａの下側の端部は、外側に折り曲げられている。第一係合部２２ａの折り曲げられた部分は、外側に突出する凸部２３ａである。つまり、凸部２３ａは、折り曲げ加工によって形成された第一係合部２２ａの一部である。なお、凸部２３ａが折り曲げによって形成されることは必須ではなく、その他の曲げ加工によって形成されてもよい。
【００６４】
第一係合部２２ａは、取付板本体２１とは別体であり、リベットまたはねじなどによって取付板本体２１に固定される。なお、第一係合部２２ａは、取付板本体２１と一体形成されてもよい。
【００６５】
筐体３０ａは、平たい略有底筒状の部材であり、側壁部３１ａと、底部３２と、第二係合部３３ａとを有する。
【００６６】
側壁部３１ａは、平たい略有底筒状の筐体３０ａの側壁に相当する、平たい略円筒状の部分である。側壁部３１ａには、第二係合部３３ａが設けられる。
【００６７】
第二係合部３３ａは、側壁部３１の内周面に設けられた凹部である。第二係合部３３ａには、第一係合部２２ａの凸部２３ａが入り込む。これにより、筐体３０ａ及び取付板２０ａは、係合する。つまり、筐体３０ａは、取付板２０ａに取り付けられる。
【００６８】
このように、照明装置１０ａの筐体３０ａにおいて、凹部（つまり、第二係合部３３ａ）は、側壁部３１ａの内周面に設けられる。
【００６９】
これにより、照明装置１０ａの施工者は、側壁部３１ａの内周面に設けられた凹部として形成された第二係合部３３ａに第一係合部２２ａを係合させることにより、筐体３０ａを取付板２０ａに容易に取り付けることができる。
【００７０】
（実施の形態３）
上記実施の形態１及び２では、第二係合部は、側壁部に設けられる凹部であったが、第二係合部は、側壁部に設けられた開口であってもよい。ここでの開口は、言い換えれば、貫通孔であり、切り欠きを含む。図６は、このような実施の形態３に係る照明装置の模式断面図である。なお、以下の実施の形態３では、実施の形態２との相違点を中心に説明が行われ、既出事項についての説明は適宜省略される。
【００７１】
図６に示されるように、実施の形態３に係る照明装置１０ｂは、主として、取付板２０ａと、筐体３０ｂと、光源４０と、カバー５０と、透光カバー６０とを備える。筐体３０ｂは、第二係合部３３ｂが設けられた側壁部３１ｂを有し、第二係合部３３ｂは、側壁部３１ｂの内周面に設けられた開口である。
【００７２】
第二係合部３３ｂには、第一係合部２２ａの凸部２３ａが入り込む。これにより、筐体３０ｂ及び取付板２０ａは、係合する。つまり、筐体３０ｂは、取付板２０ａに取り付けられる。
【００７３】
このように、照明装置１０ｂにおいて、第一係合部２２ａは、凸部２３ａを有する弾性部材であり、第二係合部３３ｂは、側壁部３１ｂに設けられた開口である。第一係合部２２ａ及び第二係合部３３ｂは、凸部２３ａが開口内に位置することにより係合する。
【００７４】
これにより、照明装置１０ｂの施工者は、側壁部３１ｂに開口として形成された第二係合部３３ｂに第一係合部２２ａを係合させることにより、筐体３０ｂを取付板２０ａに容易に取り付けることができる。また、第一係合部２２ａが側壁部３１ｂの内周面側に位置する構成においては、第二係合部３３ｂが開口であれば、当該開口を通じて当該開口内に位置する凸部２３ａを筐体３０の外側から視認することができる。したがって、第二係合部３３ｂが開口である場合、施工者は、筐体３０ｂが取付板２０ａに適切に取り付けられたか否かを目視で確認することができる。
【００７５】
なお、照明装置１０ｂは、実施の形態２に係る照明装置１０ａにおいて、凹部として形成された第二係合部３３ａが、開口として形成された第二係合部３３ｂに置き換えられた構成である。しかしながら、本発明には、実施の形態１に係る照明装置１０において、凹部として形成された第二係合部３３が開口として形成された第二係合部３３ｂに置き換えられた構成の照明装置も含まれる。
【００７６】
（実施の形態４）
上記実施の形態１〜３では、筐体は、下方から上方への移動、つまり、上下方向の移動により取付板に取り付けられた。しかしながら、筐体は、水平方向への移動により取付板に取り付けられてもよい。図７は、このような実施の形態４に係る照明装置の外観斜視図である。図７では、筐体３０ｃの構造を示すために、カバー５０の図示が省略されている。なお、以下の実施の形態４では、実施の形態１との相違点を中心に説明が行われ、既出事項についての説明は適宜省略される。
【００７７】
図７に示されるように、実施の形態４に係る照明装置１０ｃは、取付板２０ｃ及び筐体３０ｃの構成が照明装置１０と異なる。
【００７８】
取付板２０ｃは、具体的には、取付板本体２１と、２つの第一係合部２２ｃとを有する。取付板２０ｃは、取付板２０とほぼ同様の構成である。詳細には図示されないが、第一係合部２２ｃの下側の端部は、内側に折り曲げられ、第一係合部２２ｃの折り曲げられた部分は、内側に突出する凸部である。
【００７９】
筐体３０ｃの側壁部３１ｃには、第二係合部３３ｃ、及び、横溝３４ｃが設けられる。図８は、照明装置１０ｃにおける、第二係合部３３ｃ及び横溝３４ｃの具体的構成を示す図である。図８は、図７の外観斜視図において、第一係合部２２ｃの図示を省略した図である。
【００８０】
照明装置１０ｃにおいて、第二係合部３３ｃは、側壁部３１の外周面に設けられた凹部であるが、側壁部３１に設けられた開口であってもよい。第二係合部３３ｃには、第一係合部２２ｃの凸部が入り込む。これにより、筐体３０ｃ及び取付板２０ｃは、係合する。つまり、筐体３０ｃは、取付板２０ｃに取り付けられる。
【００８１】
横溝３４ｃは、側壁部３１ｃの外周面に設けられた、取付板２０の主面に平行な方向に延びる溝である。横溝３４ｃの途中には、第二係合部３３ｃが設けられている。横溝３４ｃは、筐体３０ｃを取付板２０ｃに取り付ける際に、第一係合部２２ｃの凸部を第二係合部３３ｃに導くガイドとして機能する。
【００８２】
照明装置１０ｃを構造物に取り付ける施工者は、構造物に固定された取付板２０ｃの第一係合部２２ｃの凸部が横溝３４ｃに沿って動くように筐体３０を水平方向にスライドさせる。そうすると、第一係合部２２ｃは、当該第一係合部２２ｃの凸部が横溝３４ｃの底面にあたることにより外側に押される。その後、第一係合部２２ｃの凸部が横溝３４ｃの底面よりもさらに内側に凹んだ凹部（つまり、第二係合部３３ｃ）に到達すると、当該凸部は、第一係合部２２ｃの弾性により内側に移動し凹部に入り込む。
【００８３】
このように、照明装置１０ｃにおいて、側壁部３１ｃの外周面には、取付板２０ｃの主面に平行な方向に延びる横溝３４ｃが設けられ、凹部（つまり、第二係合部３３ｃ）は、横溝３４ｃの途中に位置する。
【００８４】
これにより、施工者は、筐体３０ｃを取付板２０ｃの主面に平行な方向（例えば、Ｘ軸方向）に移動させることにより、取付板２０ｃに取り付けることができる。
【００８５】
なお、第二係合部３３ｃが横溝３４ｃの途中に設けられることは必須ではなく、横溝３４ｃの端部に設けられてもよい。第二係合部３３ｃが横溝３４ｃの途中に設けられる場合、作業者は、筐体３０ｃをＸ軸＋側からＸ軸−側に移動させて取付板２０ｃに取り付けることも、筐体３０ｃをＸ軸−側からＸ軸＋側に移動させて取付板２０ｃに取り付けることもできる。つまり、第二係合部３３ｃが横溝３４ｃの途中に設けられれば、取付板２０ｃへの取付時の筐体３０ｃのスライド方向を双方向にすることができる。
【００８６】
（その他の実施の形態）
以上、実施の形態に係る照明装置について説明したが、本発明は、このような実施の形態に限定されるものではない。
【００８７】
例えば、上記実施の形態では、取付板に凸部が設けられ、筐体の側壁に凹部または開口が設けられたが、取付板に凹部または開口が設けられ、筐体の側壁に凸部が設けられてもよい。
【００８８】
また、照明装置において用いられる係合構造は、凸部が凹部（または開口）に入り込む構成に限定されず、凸部同士が係合する構成などであってもよい。
【００８９】
また、係合構造は、上記実施の形態のように筐体を取付板に対して直線的に移動させて係合させる構造に限定されない。係合構造は、例えば、筐体を取付板に対して回動させて係合させる構造であってもよい。
【００９０】
また、上記実施の形態で説明された照明装置の形状は、一例である。例えば、照明装置の平面視形状は、矩形またはその他の多角形であってもよい。
【００９１】
また、上記実施の形態では、光源として、ＬＥＤを含む発光モジュールが用いられたが、光源の態様は特に限定されるものではない。光源には、ＬＥＤを含む発光モジュールに代えて、蛍光管、メタルハライドランプ、ナトリウムランプ、ハロゲンランプ、キセノンランプ、または、ネオン管等が用いられてもよい。また、光源には、無機エレクトロルミネッセンス、有機エレクトロルミネッセンス、ケミルミネッセンス（化学発光）、または、半導体レーザー等が用いられてもよい。
【００９２】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９３】
１０、１０ａ、１０ｂ、１０ｃ  照明装置
２０、２０ａ、２０ｃ  取付板
２２、２２ａ、２２ｃ  第一係合部
２３、２３ａ  凸部
３０、３０ａ、３０ｂ、３０ｃ  筐体
３１、３１ａ、３１ｂ、３１ｃ  側壁部
３３、３３ａ、３３ｂ、３３ｃ  第二係合部
３４  縦溝
３４ｃ  横溝
４０  光源
５０  カバー
５１  サイドカバー部
５２  フロントカバー部
６０  透光カバー
【図１】
2019091537.tif 000003
【図２】
2019091537.tif 000004
【図３】
2019091537.tif 000005
【図４】
2019091537.tif 000006
【図５】
2019091537.tif 000007
【図６】
2019091537.tif 000008
【図７】
2019091537.tif 000009
【図８】
2019091537.tif 000010